(57)【特許請求の範囲】
【請求項１】
遊技者が把持可能であり、かつ把持した状態で操作可能な操作装置を備えた遊技機であって、
前記操作装置は、
遊技者が直接又は間接的に把持可能な把持部と、
前記把持部に連接し、当該把持部を基部に固定するための固定部と、
前記固定部の少なくとも一部を覆う補強部と、を備え、
前記固定部は、その一部において前記基部に固定され、かつ、前記補強部により覆われた部分において当該補強部と共に前記基部に固定されることを特徴とする遊技機。
【発明の詳細な説明】
【技術分野】
【０００１】
本発明は、遊技機に関し、詳しくは、遊技者が操作可能な操作装置を備えた遊技機である。
【背景技術】
【０００２】
従来、この種の遊技機として、所定条件を満たすことにより大当たりの抽選を行うとともに、大当たりの抽選の結果に基づいて、演出表示装置における画像表示や音声出力装置による音声出力等を行う演出の実行を決定し、この決定された演出を実行することによって遊技者に対して大当たりの当選等に対する期待感を視覚的・聴覚的に与えるものが知られている。
また、このような遊技機では、遊技者が操作可能な操作装置により所定の操作がなされると、実行中の演出が先の段階へ進行したり、他の内容に切り替わったりするように設定することで演出効果の向上が図られている。たとえば、操作装置として、遊技者が把持可能であるとともに傾倒可能な操作レバーを設け、遊技者が操作レバーを傾倒することにより演出の切り換え等が行われるようなパチンコ機が考案されている（特許文献１参照）。
【先行技術文献】
【特許文献】
【０００３】
【特許文献１】特開２０１１−１５６１７３号公報
【発明の概要】
【発明が解決しようとする課題】
【０００４】
しかし、上述のように遊技者が把持可能な操作装置を備えた遊技機においては、可動範囲を超えて操作装置の傾倒が行われたり、予定していない操作態様（たとえば、操作装置を引き上げる、押し込む、操作可能な方向以外の方向へ傾倒させる等）で操作装置が操作されたりする場合があり、操作装置が遊技機から脱落する等、操作装置が破損してしまうおそれが生じていた。
【０００５】
そこで、本発明は、上述した事情によりなされたものであり、遊技者が把持可能な操作装置の耐久性を向上し、操作装置の破損等を防止可能な遊技機の提供を目的とする。
【課題を解決するための手段】
【０００６】
上述した目的を達成するために、本発明は次のように構成されている。
以下、本発明の特徴点を図面に示した発明の実施の形態を用いて説明する。なお、下記の符号及び記載は、本発明の構成に相当する発明の実施の形態における構成の符号及び名称を示したものであり、本発明の技術的範囲を限定するものではない。
【０００７】
（１）本発明は、遊技者が把持可能であり、かつ把持した状態で操作可能な操作装置（演出操作ユニット１０）を備えた遊技機（パチンコ機Ｐ）であって、前記操作装置は、遊技者が直接又は間接的に把持可能な把持部（立設部６５ｂ）と、前記把持部に連接し、当該把持部を基部に固定するための固定部（底板部６５ａ）と、前記固定部の少なくとも一部を覆う補強部（補強板部６６）と、を備え、前記固定部は、その一部において前記基部に固定され、かつ、前記補強部により覆われた部分において当該補強部と共に前記基部に固定されることを特徴とする。
【０００８】
本発明に係る遊技機においては、遊技者が把持可能な把持部に連接された固定部が、その一部において直接基部に固定されるのみならず、補強部に覆われた部分においては、補強部と共に基部に固定されており、固定部が基部から取り外され難くなるため、操作装置の破損等を防止することができるのである。
【発明の効果】
【００１０】
本発明によれば、遊技者が把持可能な操作装置の耐久性を向上し、操作装置の破損等を防止可能な遊技機を提供することができる。
【図面の簡単な説明】
【００１１】
【図１】パチンコ機の外観正面図である。
【図２】パチンコ機の外観斜視図である。
【図３】演出操作ユニットの外観斜視図である。
【図４】演出操作ユニットにおけるレバーベース部、把持板部及び補強板部の外観斜視図である。
【図５】演出操作ユニットにおけるボタンユニット及びレバーベースカバーの分解斜視図である。
【図６】演出操作ユニットの組み立て工程を示す斜視図である。
【図７】演出操作ユニットの組み立て工程を示す斜視図である。
【図８】演出操作ユニットの平面図である。
【図９】演出操作ユニットのＡ−Ａ方向の側断面図である。
【図１０】演出操作ユニットのＢ−Ｂ方向の側断面図である。
【発明を実施するための形態】
【００１２】
以下、本発明の好適な実施の形態を、図面を参照しつつ説明する。なお、本明細書において、後述するパチンコ機Ｐに設けられた各構成部品についての、前後（正面背面）、左右（側面）、上下（平面底面）の方向は、各構成部品をパチンコ機Ｐに固定した状態でパチンコ機Ｐを正面視したときの方向を示すものとする。
【００１３】
（パチンコ機Ｐの外部構成）
本形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
【００１４】
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置から遊技球の貸し出しを受けることができるようになっている。
【００１５】
本形態に係るパチンコ機Ｐは、図１及び図２に示すように、島に固定される四角形状の枠体であって、中空部（特に図示しておらず）を有する機枠Ｆ１と、この機枠Ｆ１にヒンジ機構（特に図示しておらず）により開閉自在に取り付けられる四角形状の枠体であって、中空部（特に図示しておらず）を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１６】
本体枠Ｆ２の中空部には、遊技領域を形成するための遊技盤１００が収容されている。また、図１及び図２に示すように、前扉Ｄには、開口部を覆う透明板４００と、透明板４００の上方から左側方にかけて（前扉Ｄの上部から左側部にかけて）透明板４００を取り囲むように取り付けられた装飾レンズ２１０と、透明板４００の右上方（前扉Ｄの右上角部）に取り付けられた回転灯ユニット２２０と、回転灯ユニットの直下であって透明板４００の右方（前扉Ｄの右側部）に取り付けられたサイドパネルユニット３００と、透明板４００の下方に位置し遊技球を受容可能な上皿６００及び受皿７００と、上皿６００の前面中央に取り付けられた演出操作ユニット１０と、受皿７００の右方に取り付けられ遊技球の発射操作を行うための操作ハンドル５００と、透明板４００の左右下方にそれぞれ１個ずつ取り付けられたスピーカＳＰと、が設けられている。
【００１７】
装飾レンズ２１０の内部には、複数のＬＥＤ（特に図示しておらず）が設けられており、遊技の進行に伴ってＬＥＤが種々の色や発光パターンで発光することにより演出が行われるようになっている。
回転灯ユニット２２０は、環状に配置した複数のＬＥＤが設けられており、各ＬＥＤが配置順に点灯と消灯とを繰り返すことで、まるで回転灯が発光しているような演出を実行できるようになっている。
サイドパネルユニット３００は、図２に示すように、前扉Ｄの右側部に設けられ前方へ向けて突出するように形成された略長方形薄板状の装飾用の装置であって、この装置に内装されパチンコ機Ｐのモチーフとなったキャラクターや種々の文字情報等が描かれたデザインシート（特に図示しておらず）の視認性を高めるためのものである。
【００１８】
上皿６００には、遊技球貸出装置により貸し出される遊技球や、パチンコ機Ｐから払い出される賞球が導かれるようになっている。この上皿６００が遊技球で一杯になると、その後に貸し出されたり、払い出されたりする遊技球は受皿７００に導かれるようになっている。また、受皿７００に貯留された遊技球は、開閉レバー８００（図１参照）を操作することにより、受皿７００の外に排出することができるようになっている。
操作ハンドル５００は、遊技者が所定方向へ向けて回転操作できるように形成されている。そして、遊技者が操作ハンドル５００を回転操作すると、上皿６００に受容されている遊技球が発射装置（特に図示しておらず）に送られ、発射装置によって、操作ハンドル５００の回転角度に応じた強度で遊技球が発射される。
演出操作ユニット１０は、遊技の進行に伴って実行される演出の切り替え等を行うための演出操作装置である。この演出操作ユニット１０の詳細については後述する。
【００１９】
また、パチンコ機Ｐは、機枠Ｆ１に対して本体枠Ｆ２を閉じ、さらに、前扉Ｄを閉じると、遊技盤１００の前方に間隙を挟んで透明板４００が位置することとなる。これにより、透明板４００を透過して、後方に位置する遊技盤１００を視認することができるようになっている。そして、機枠Ｆ１に対し本体枠Ｆ２及び前扉Ｄを閉じた状態で遊技盤１００と透明板４００との間に形成される空間のうち、遊技盤１００に固定された一対のレール（特に図示しておらず）により略円形状に仕切られた領域であって、操作ハンドル５００の操作に基づき発射装置により発射された遊技球が流下可能な領域が、遊技領域（特に図示しておらず）を構成する。
【００２０】
遊技領域には、特に図示しないが、遊技球の流下方向を不規則にするための風車及び多数の釘、遊技球が入球可能な一般入賞口及び始動入賞口、遊技球が通過可能なゲート、所定条件を満たすことで開放する大入賞口、遊技球を遊技盤の裏面側に導くアウト口、遊技の進行に伴って実行される演出の画像等を表示する液晶表示装置等が設けられている。
本形態に係るパチンコ機Ｐでは、図示しない発射装置により発射されて遊技領域を流下する遊技球が、一般入賞口又は始動入賞口に入球すると、所定個数の賞球が払い出される。また、遊技球が始動入賞口へ入球した場合には、大入賞口が開放される特別遊技を実行させるか否かを決定する大当たりの抽選が行われる。そして、この大当たりの抽選によって大当たりに当選すると、大入賞口が開閉する特別遊技が実行される。なお、大入賞口へ遊技球が入球した場合にも、所定個数の賞球が払い出される。また、遊技球がゲートを通過すると、始動入賞口に設けられた可動片（特に図示しておらず）を開放するか否かを決定する抽選が行われる。そして、開放する旨が決定されると可動片が開放し、これにより、始動入賞口への遊技球の入球が容易となる。
一般入賞口、始動入賞口、大入賞口のいずれにも入球しなかった遊技球はアウト口に受け入れられ、遊技盤１００の背面側に導かれ回収される。なお、一般入賞口、始動入賞口又は大入賞口に入球した遊技球も、遊技盤１００の背面側に導かれ回収される。
【００２１】
（演出操作ユニット１０）
次に、演出操作ユニット１０の構造について説明する。
本形態における演出操作ユニット１０は、押下操作及び回転操作が可能に形成されており、演出の実行中における操作有効時間内に、演出操作ユニット１０による押下操作や回転操作がなされると、実行中の演出の切り替え等が行われる。
この演出操作ユニット１０は、図３〜図５に示すように、上皿６００の前面中央に取り付けられる取り付け基部２０と、取り付け基部２０の上側に設けられ各種部材を収納及び取り付け可能なレバーベース部６０と、レバーベース部６０内に収納されるボタンユニット４０と、レバーベース部６０を覆うレバーベースカバー６９とを備えている。レバーベース部６０は、取り付け基部２０を軸心として、常態の位置から反時計回りに所定角度回転可能となっており、レバーベース部６０に対する回転操作やボタンユニット４０に対する押下操作がなされることで、上述の演出の切り替え等が行われる。
【００２２】
（取り付け基部２０）
取り付け基部２０は、図３及び図４に示すように、上皿６００の前面中央に形成された取り付け孔（特に図示しておらず）に挿入可能な略円柱形状の部材であり、この取り付け基部２０を取り付け孔に挿入することで、演出操作ユニット１０がパチンコ機Ｐの前扉Ｄに取り付けられるようになっている。
また、取り付け基部２０の側面には、図３及び図４に示すように、取り付け基部２０を前扉Ｄに取り付けた状態で、取り付け孔の内周面に設けられた固定突起（特に図示しておらず）と対応する位置に固定穴２０ａが形成されている。取り付け基部２０を取り付け孔に挿入すると、固定突起が固定穴２０ａに嵌まり込むことにより、取り付け基部２０が上皿６００に固定され、ひいては、演出操作ユニット２０が上皿６００に取り付けられることとなる。
【００２３】
（レバーベース部６０）
レバーベース部６０は、図４に示すように、異なる径の略円筒形状部材を上下に配置して形成されたものであり、取り付け基部２０に連接し取り付け基部２０と同径の下側収納部６１と、下側収納部６１に連接し下側収納部６１よりも大きい径の上側収納部６２とから構成されている。上側収納部６２は上方に向けて開口しているとともに、上側収納部６２の下端部内周には、この内周に沿って内方へ向けて突設した円環形状の内枠部６３が設けられている（図４参照）。
そして、この上側収納部６２及び下側収納部６１により構成される収納空間内に、上述のボタンユニット４０が収納される。なお、内枠部６３には、図４に示すように、上述の収納空間内に収納されたボタンユニット４０及びレバーベース部６０をネジ止めするためのネジ孔６３ａが設けられている。
【００２４】
また、上側収納部６２の上端外周部には、図４に示すように、この上端外周部に沿って外方へ向けて突設した平面視略三日月形状の外周取り付け部６４が設けられている。
そして、この外周取り付け部６４には、後述する把持板部６５及び補強板部６６、並びに振動モータ６７が取り付けられるようになっており、振動モータ６７を収納するためのモータ収納部６４ａが設けられているとともに、モータ収納部６４ａに収納された振動モータ６７及び外周取り付け部６４をネジ止めするためのネジ孔６４ｂと、把持板部６５及び外周取り付け部６４をネジ止めするためのネジ孔６４ｃと、把持板部６５、補強板部６６及び外周取り付け部６４をネジ止めするためのネジ孔６４ｄと、補強板部６６及び外周取り付け部６４をネジ止めするためのネジ孔６４ｅとが設けられている（図４参照）。
また、外周取り付け部６４には、把持板部６５、補強板部６６及び後述するグリップ部７２をネジ止めするためのネジＶを挿入する挿入孔６４ｇと、補強板部６６、グリップ部７２及び外周取り付け部６４をネジ止めするためのネジ孔６４ｈとが設けられている（図４参照）。
【００２５】
さらに、詳細については後述するが、レバーベース部６０には、上述の収納空間内にボタンユニット４０が収納され、かつ上述の外周取り付け部６４に把持板部６５及び補強板部６６、並びに振動モータ６７が取り付けられた状態で、上方からレバーベースカバー６９（図５参照）が取り付けられるようになっている。なお、内枠部６３には、図４に示すように、レバーベースカバー６９及びレバーベース部６０をネジ止めするためのネジ孔６３ｂが形成されたボス６３ｃが複数設けられている。
【００２６】
また、レバーベース部６０は、上述のように、取り付け基部２０を軸心として、常態の位置から反時計回りに所定角度回転できるように、取り付け基部２０に取り付けられている。そして、特に図示していないが、取り付け基部２０には、レバーベース部６０の回転を検知可能な回転検知センサが設けられており、この回転検知センサがレバーベース部６０の回転を検知することで、演出の切り替え等が行われる。なお、本形態に係るパチンコ機Ｐでは、回転検知センサとしてフォトセンサを用いているが、これに限定されるものではなく、近接センサや磁気センサ等の他のセンサを用いてもよい。
【００２７】
（ボタンユニット４０）
ボタンユニット４０は、図５に示すように、押下操作を受付かつ検知するためのボタン本体部４１と、ボタン本体部４１に取り付けられるＬＥＤ基板４２と、ボタン本体部４１を覆う内カバー４３と、内カバー４３を覆う外カバー４４と、を備えている。そして、ＬＥＤ基板４２を取り付けたボタン本体部４１に、上方から内カバー４３及び外カバー４４を覆い被せることによりボタンユニット４０が形成される。
【００２８】
ボタン本体部４１には、図５に示すように、上方に向けて開口した略円筒形状のボタン基部４１ａが設けられているとともに、ボタン基部４１ａの内底部からボタン基部４１ａの上端部よりも上方の所定の高さ位置まで至る支持柱４１ｂにより支持された薄板形状の台座部４１ｃが設けられている。
また、ボタン基部４１ａの上端部には、略円環形状の板部材である押下板４１ｄが、付勢バネ（特に図示しておらず）により上方へ向けて付勢された状態で取り付けられている。押下板４１ｄは、常態において、ボタン基部４１ａの上端部よりもやや上方に位置しており、ボタン基部４１ａに当接するまで押し下げることができるようになっている。
【００２９】
ここで、ボタン基部４１ａの内部には、特に図示していないが、押下板４１ｄが常態の位置から押し下げられたことを検知するための押下検知センサが設けられており、この押下センサが押下板４１ｄの押し下げを検知することで、演出の進行や切り替えが行われる。なお、本形態に係るパチンコ機Ｐでは、押下検知センサとしてフォトセンサを用いているが、これに限定されるものではなく、近接センサや磁気センサ等の他のセンサを用いてもよい。
また、ボタン基部４１ａの内部には、特に図示していないが、押下板４１ｄを常態の位置と台座部４１ｃの高さ位置との範囲内で昇降させるための昇降機構が設けられている。
【００３０】
また、ボタン基部４１ａの上端部には、図５に示すように、ボタンユニット４０をレバーベース部６０の収納空間内に収納した状態で、レバーベース部６０の内枠部６３に設けられたネジ孔６３ａと合致するネジ孔４１ｅが設けられている。そして、ネジ孔６３ａ及びネジ孔４１ｅが合致した状態でネジＶを螺合させることにより、ボタンユニット４０とレバーベース部６０とがネジ止めされる。
また、押下板４１ｄには、図５に示すように、内カバー４３を押下板４１ｄにネジ止めするためのネジ孔４１ｆが設けられている。
【００３１】
ＬＥＤ基板４２は、基板面４２ａに複数のＬＥＤ（特に図示しておらず）を搭載した板部材であり、基板面４２ａを上方に向けた状態で、ボタン本体部４１の台座部４１ｃに配置される（図５参照）。
【００３２】
内カバー４３及び外カバー４４は、図５に示すように、無色透明の樹脂により形成された下向きに開口する略円筒形状の蓋部材である。
内カバー４３は、ボタン本体部４１を上方から覆い、その内部にボタン本体部４１の台座部４１ｃを収納した状態で、押下板４１ｄに取り付けられる。内カバー４３の下端部には、図５に示すように、ボタン本体部４１を上方から覆った状態で、押下板４１ｄに設けられたネジ孔４１ｆと合致するネジ孔４３ｂが設けられており、ネジ孔４１ｆ及びネジ孔４３ｂが合致した状態でネジＶを螺合させることにより、内カバー４３と押下板４１ｄとがネジ止めされる。
また、外カバー４４は、内カバー４３よりも大きい径となっており、内カバー４３を上方から覆って内カバー４３に装着される。
【００３３】
ここで、上述したように、ボタン本体部４１における押下板４１ｄは、ボタン基部４１ａ内に設けられた昇降機構により、常態の位置と台座部４１ｃの高さとの範囲内で昇降するようになっているが、内カバー４３は押下板４１ｄにネジ止めされており、かつ外カバー４４は内カバー４３に装着されているため、押下板４１ｄの昇降に伴って、内カバー４３及び外カバー４４も昇降するようになっている。
【００３４】
また、内カバー４３の天板４３ａには、特に図示していないが、押下操作が可能である旨を示す文字（たとえば、ＰＵＳＨ等）や、パチンコ機Ｐのモチーフとなったキャラクターやロゴ等の装飾が施されており、外カバー４４の天板４４ａを透してこの装飾を視認できるようになっている。また、この装飾は、ＬＥＤ基板４２に設けられたＬＥＤから照射される光により発光するようになっている。
【００３５】
（把持板部６５）
把持板部６５は、図４に示すように、断面視Ｌ字形状の金属製板部材であって、レバーベース部６０の外周取り付け部６４に載置される底板部６５ａと、底板部６５ａを外周取り付け部６４に載置された状態で底板部６５ａの一端から立設する立設部６５ｂとを備えている。
底板部６５ａには、図４に示すように、外周取り付け部６４に載置された状態で、レバーベース部６０の上端外周部と対向する円弧状の切り欠き部６５ｅが形成されている。
【００３６】
また、底板部６５ａには、図４に示すように、外周取り付け部６４に載置された状態で、外周取り付け部６４のネジ孔６４ｃ（すなわち、把持板部６５及び外周取り付け部６４をネジ止めするためのネジ孔）と合致するネジ孔６５ｃが設けられており、ネジ孔６４ｃ及びネジ孔６５ｃが合致した状態でネジＶを螺合させることにより、把持板部６５の底板部６５ａと外周取り付け部６４とがネジ止めされる。
また、底板部６５ａには、図４に示すように、外周取り付け部６４に載置された状態で、外周取り付け部６４のネジ孔６４ｄ（すなわち、把持板部６５、補強板部６６及び外周取り付け部６４をネジ止めするためのネジ孔）と合致するネジ孔６５ｄ、及び、外周取り付け部６４の挿入孔６４ｇと合致するネジ孔６５ｇが設けられている。
【００３７】
また、立設部６５ｂには、図７（ａ）に示すように、後述するグリップ部７２を差し込んで取り付けられるようになっている。なお、立設部６５ｂには、図４に示すように、グリップ部７２及び立設部６５ｂをネジ止めするためのネジ孔６５ｆが設けられている。
【００３８】
（補強板部６６）
補強板部６６は、図４に示すように、把持板部６５に対して上方から覆う金属製板部材であって、把持板部６５に対して上方から覆い被せた状態でレバーベース部６０の外周取り付け部６４に取り付けられるものであり、把持板部６５が外周取り付け部６４から外れてしまうのを防止するためのものである。
補強板部６６は、図４に示すように、把持板部６５の底板部６５ａを覆う底板覆い部６６ａと、底板覆い部６６ａに延設された略台形板状の延設部６６ｂとを備えている。
延設部６６ｂには、図４及び図６（ｂ）に示すように、把持板部６５に補強板部６６を上方から覆い被せる際に、把持板部６５の立設部６５ｂが挿通するスリット６６ｃが形成されている。そして、把持板部６５に補強板部６６を上方から覆い被せると、把持板部６５の立設部６５ｂはスリット６６ｃを挿通し、補強板部６６から上方へ向けて突出することとなる（図６（ｂ）及び（ｃ）参照）。
また、底板覆い部６６ａには、図４に示すように、把持板部６５に補強板部６６を上方から覆い被せた状態で、把持板部６５における底板部６５ａの切り欠き部６５ｅに対向し、かつレバーベース部６０の上端部に当接する縁部６６ｆが形成されている。
【００３９】
また、底板覆い部６６ａには、図４に示すように、把持板部６５に補強板部６６を上方から覆い被せた状態で、外周取り付け部６４のネジ孔６４ｄ及び把持板部６５における底板部６５ａのネジ孔６５ｄ（すなわち、把持板部６５、補強板部６６及び外周取り付け部６４をネジ止めするためのネジ孔）と合致するネジ孔６６ｄが設けられており、ネジ孔６４ｄ、ネジ孔６５ｄ及びネジ孔６６ｄが合致した状態でネジＶを螺合させることにより、把持板部６５の底板部６５ａ、補強板部６６の底板覆い部６６ａ及び外周取り付け部６４がネジ止めされる。
また、底板覆い部６６ａには、図４に示すように、外周取り付け部６４の挿入孔６４ｇ及び把持板部６５における底板部６５ａのネジ孔６５ｇと合致するネジ孔６６ｇが設けられている。
また、延設部６６ｂには、図４に示すように、把持板部６５に補強板部６６を上方から覆い被せた状態で、外周取り付け部６４のネジ孔６４ｅ（すなわち、補強板部６６及び外周取り付け部６４をネジ止めするためのネジ孔）と合致するネジ孔６６ｅが設けられており、ネジ孔６４ｅ及びネジ孔６６ｅが合致した状態でネジＶを螺合させることにより、補強板部６６の延設部６６ｂ及び外周取り付け部６４がネジ止めされる。
さらに、延設部６６ｂには、図４に示すように、外周取り付け部６４のネジ孔６４ｈ（すなわち、補強板部６６、グリップ部７２及び外周取り付け部６４をネジ止めするためのネジ孔）と合致するネジ孔６６ｈが設けられている。
【００４０】
（振動モータ６７）
振動モータ６７は、レバーベース部６０を振動させるためのモータであり、図４及び図６（ｃ）に示すように、外周取り付け部６４のモータ収納部６４ａに収納される。
モータ収納部６４ａには、図６（ｃ）に示すように、モータ収納部６４ａを上方から覆うモータカバー６８が取り付けられるようになっており、モータ収納部６４ａに振動モータ６７を収納した状態で、モータカバー６８をモータ収納部６４ａに取り付けることで、振動モータ６７が外周取り付け部６４に取り付けられることとなる。
また、モータカバー６８には、モータ収納部６４ａに取り付けた状態で、外周取り付け部６４に設けられたネジ孔６４ｂと合致するネジ孔６８ｂが設けられており（図６（ｃ）参照）、ネジ孔６４ｂとネジ孔６８ｂとが合致した状態でネジＶを螺合させることにより、モータカバー６８及び外周取り付け部６４がネジ止めされる。
【００４１】
そして、本形態に係るパチンコ機Ｐでは、たとえば、レバーベース部６０に対する回転操作やボタンユニット４０に対する押下操作を遊技者に行わせる際に、振動モータ６７が振動を発生させ、レバーベース部６０を振動させる。レバーベース部６０に対する回転操作を行うにあたり遊技者に把持させる後述のグリップ部７２及びボタンユニット４０はいずれもレバーベース部６０に取り付けられているため、レバーベース部６０が振動することによりグリップ部７２及びボタンユニット４０にも振動が伝わることとなる。これにより、レバーベース部６０に対する回転操作やボタンユニット４０に対する押下操作を行う遊技者に対して振動の発生を認識させることができ、演出効果を高めることができるようになっている。
また、振動モータ６７は、上述のグリップ部７２、及び、ボタンユニット４０に対する押下操作を行うにあたり遊技者に押下させる外カバー４４の両方の近傍に配置されている。これにより、少ない振動モータ６７の設置数でも、グリップ部７２及び外カバー４４に対して効率よく振動を伝えることができるようになっている。
また、振動モータ６７は、レバーベース部６０における外周取り付け部６４に取り付けられているため、レバーベース部６０が回転すると、これに伴って振動モータ６７も回転する。すると、レバーベース部６０がいずれの回転位置にあっても、振動モータ６７からグリップ部７２までの距離は変わらないため、レバーベース部６０に対する回転操作の状態によることなく、グリップ部７２に対して同等の強度で振動を伝えることができることとなる。
なお、本形態に係るパチンコ機Ｐでは、振動モータ６７として偏心モータが用いられているが、これに限定されるものではなく、他のモータを用いてもよい。
【００４２】
（レバーベースカバー６９）
レバーベースカバー６９は、図５に示すように、レバーベース部６０を上方から覆うように取り付けられる蓋部材であって、中央に開口部６９ａを有しレバーベース部６０における上側収納部６２の外周を覆う略円環形状の外枠カバー部７０と、レバーベース部６０における外周取り付け部６４を覆う取り付けカバー部７１とを備えている。
外枠カバー部７０には、図５に示すように、レバーベースカバー６９をレバーベース部６０に取り付ける際にレバーベース部６０の内枠部６３に設けられたボス６３ｃに挿入されるボス６９ｃが設けられている。また、このボス６９ｃにはネジ孔（特に図示しておらず）が設けられている。そして、スペーサ７３（図５参照）を嵌め込んだボス６９ｃをボス６３ｃに挿入すると、ボス６３ｃに設けられたネジ孔６３ｂとボス６９ｃに設けられたネジ孔とが合致し、この状態でネジＶを螺合させることにより、レバーベースカバー６９及びレバーベース部６０にネジ止めされる。
【００４３】
ここで、レバーベース部６０における収納空間内にボタンユニット４０を収納した状態で、レバーベースカバー６９をレバーベース部６０に取り付けると、常態において、外枠カバー部７０の開口部６９ａから、ボタンユニット４０における外カバー４４の天板４４ａが突出するようになっている（図１、図３及び図７参照）。そして、開口部６９ａから突出した天板４４ａを押下することで、内カバー４３が取り付けられた押下板４１ｄも常態の位置から押し下げられ、押下検知センサにより当該押下板４１ｄの押し下げが検知されることとなる。
【００４４】
また、特に図示していないが、ボタン基部４１ａ内に設けられた昇降機構によってボタン本体部４１における押下板４１ｄが上昇すると、これに伴って、押下板４１ｄに取り付けられた内カバー４３及び外カバー４４も上昇し、外カバー４４全体が外枠カバー部７０の開口部６９ａから突出した状態となる。
たとえば、大当たりの抽選によって大当たりに当選した場合に実行される演出において、遊技者に対してボタンユニット４０に対する押下操作を行わせる場合には、外カバー４４全体が開口部６９ａから突出した状態となることが多くなるように設定することで、外カバー４４全体が開口部６９ａから突出した際には大当たりの当選への期待度を高めることができる。
【００４５】
また、取り付けカバー部７１には、図５に示すように、後述するグリップ部７２の下端部を嵌め込み可能な凹部７１ａが形成されている。また、この凹部７１ａには、レバーベースカバー６９をレバーベース部６０に取り付ける際に、把持板部６５の立設部６５ｂが挿通するスリット（特に図示しておらず）が形成されている。そして、レバーベースカバー６９をレバーベース部６０に取り付けると、把持板部６５の立設部６５ｂは凹部７１ａに形成されたスリットを挿通し、凹部７１ａから上方へ向けて突出することとなる（図７（ａ）参照）。
また、凹部７１ａには、外周取り付け部６４のネジ孔６４ｈ及び補強板部６６における延設部６６ｂのネジ孔６６ｈ（すなわち、補強板部６６、グリップ部７２及び外周取り付け部６４をネジ止めするためのネジ孔）と合致するネジ孔７１ｈが設けられている（図５参照）。
【００４６】
（グリップ部７２）
グリップ部７２は、把持板部６５の立設部６５ｂに取り付けられる把持部材であって、立設部６５ｂを内部へ差し込むことが可能な差し込み溝（特に図示しておらず）が形成されており、図７（ａ）に示すように、グリップ部７２の差し込み溝にレバーベースカバー６９の凹部７１ａから上方へ突出した把持板部６５の立設部６５ｂを差し込むことで、グリップ部７２が立設部６５ｂに取り付けられるようになっている。
そして、上述のように、把持板部６５はレバーベース部６０の外周取り付け部６４に取り付けられているため、把持板部６５の立設部６５ｂに取り付けられたグリップ部７２を把持して、レバーベース部６０を回転させることができるようになっている。
【００４７】
また、グリップ部７２の側部には、立設部６５ｂに取り付けられた状態で、立設部６５ｂに設けられたネジ孔６５ｆと合致するネジ孔７２ｆが設けられており（図５参照）、ネジ孔６５ｆとネジ孔７２ｆとが合致した状態でネジＶを螺合させることにより、グリップ部７２及び把持板部６５がネジ止めされる。
また、グリップ部７２の底部には、立設部６５ｂに取り付けられた状態で、外周取り付け部６４のネジ孔６４ｈ、補強板部６６における延設部６６ｂのネジ孔６６ｈ及び取り付けカバー部７１における凹部７１ａのネジ孔７１ｈと合致するネジ孔７２ｈが設けられており、ネジ孔６４ｈ、ネジ孔６６ｈ、ネジ孔７１ｈ及びネジ孔７２ｈが合致した状態でネジＶを螺合させることにより、グリップ部７２、レバーベースカバー６９、補強板部６６及びレバーベース部６０がネジ止めされる（図９参照）。
また、グリップ部７２の底部には、外周取り付け部６４の挿入孔６４ｇ、把持板部６５における底板部６５ａのネジ孔６５ｇ及び補強板部６６における底板覆い部６６ａのネジ孔６６ｇと合致するネジ孔７２ｇが設けられており、挿入孔６４ｇ、ネジ孔６５ｇ、ネジ孔６６ｇ及びネジ孔７２ｇが合致した状態でネジＶを螺合させることにより、グリップ部７２、レバーベースカバー６９、補強板部６６及び把持板部６５がネジ止めされる（図９参照）。
【００４８】
（演出操作ユニット１０の組み立て方法）
次に、本形態における演出操作ユニット１０の組み立て方法について説明する。
本形態における演出操作ユニット１０を組み立てる際には、まず、把持板部６５及び補強板部６６、並びに、振動モータ６７をレバーベース部６０の外周取り付け部６４に取り付ける。
【００４９】
具体的には、図６（ａ）に示すように、把持板部６５の底板部６５ａを、レバーベース部６０の外周取り付け部６４に配置する。すると、底板部６５ａに設けられたネジ孔６５ｃと外周取り付け部６４に設けられたネジ孔６４ｃと合致するため、この合致したネジ孔６５ｃ及びネジ孔６４ｃに上方からネジＶを螺合させて、把持板部６５及び外周取り付け部６４をネジ止めする。
この際、底板部６５ａの切り欠き部６５ｅがレバーベース部６０の上端外周部と対向するとともに、把持板部６５の立設部６５ｂが外周取り付け部６４から上方へ向けて直立した状態となる。
【００５０】
そして、図６（ｂ）に示すように、補強板部６６の延設部６６ｂに形成されたスリット６６ｃに把持板部６５の立設部６５ｂを挿通させつつ、把持板部６５に補強板部６６を上方から覆い被せる。すると、補強板部６６の底板覆い部６６ａに設けられたネジ孔６６ｄ、把持板部６５の底板部６５ａに設けられたネジ孔６５ｄ、及び、外周取り付け部６４に設けられたネジ孔６４ｄが合致するため、この合致したネジ孔６６ｄ、ネジ孔６５ｄ及びネジ孔６４ｄに上方からネジＶを螺合させて、補強板部６６、把持板部６５及び外周取り付け部６４をネジ止めする。また、補強板部６６の延設部６６ｂに設けられたネジ孔６６ｅと外周取り付け部６４に設けられたネジ孔６４ｅとが合致するため、この合致したネジ孔６６ｅ及びネジ孔６４ｅに上方からネジＶを螺合させて、補強板部６６及び外周取り付け部６４をネジ止めする。
以上により、外周取り付け部６４に、把持板部６５及び補強板部６６が取り付けられることとなる。
【００５１】
さらに、図６（ｃ）に示すように、外周取り付け部６４のモータ収納部６４ａに振動モータ６７を収納し、上方からモータカバー６８を覆い被せる。すると、モータカバー６８に設けられたネジ孔６８ｂと外周取り付け部６４に設けられたネジ孔６４ｂとが合致するため、この合致したネジ孔６８ｂ及びネジ孔６４ｂに上方からネジＶを螺合させて、モータカバー６８及び外周取り付け部６４をネジ止めする。
以上により、外周取り付け部６４（すなわち、レバーベース部６０）に振動モータ６７が取り付けられることとなる。
【００５２】
次に、ボタンユニット４０をレバーベース部６０に取り付ける。
具体的には、図６（ｄ）に示すように、ボタン本体部４１を、レバーベース部６０の下側収納部６１及び上側収納部６２により形成される収納空間内に配置する。すると、ボタン本体部４１におけるボタン基部４１ａの上端部に設けられたネジ孔４１ｅとレバーベース部６０の内枠部６３に設けられたネジ孔６３ａとが合致するため、この合致したネジ孔６３ａ及びネジ孔４１ｅに上方からネジＶを螺合させて、ボタン本体部４１及びレバーベース６０をネジ止めする。
【００５３】
そして、特に図示していないが、上述のようにボタン本体部４１をレバーベース６０に取り付けた後、ＬＥＤ基板４２を台座部４１ｃに配置し、その上方から内カバー４３を覆い被せる。すると、押下板４１ｄに設けられたネジ孔４１ｆと内カバー４３の下端部に設けられたネジ孔４３ｂとが合致するため、この合致したネジ孔４１ｆ及び４３ｂに上方からネジＶを螺合させて、内カバー４３及び押下板４１ｄをネジ止めする。その後、押下板４１ｄにネジ止めされた内カバー４３の上方から外カバー４４を覆い被せて、外カバー４４を内カバー４３に装着する。
以上により、レバーベース部６０にボタンユニット４０が取り付けられることとなる。
【００５４】
次に、レバーベースカバー６９をレバーベース部６０に取り付ける。
具体的には、特に図示していないが、ボタンユニット４０がレバーベース部６０に取り付けられた状態で、その上方からレバーベースカバー６９を覆い被せる。すると、レバーベースカバー６９の外枠カバー部７０に設けられたボス６９ｃが、レバーベース部６０の内枠部６３に設けられたボス６３ｃに挿入され、ボス６３ｃに設けられたネジ孔６３ｂとボス６９ｃに設けられたネジ孔（特に図示しておらず）とが合致するため、これらの合致したネジ孔に下方からネジＶを螺合させて、レバーベースカバー６９及びレバーベース部６０をネジ止めする（図９及び図１０参照）。
この際、把持板部６５の立設部６５ｂは、補強板部６６の延設部６６ｂに形成されたスリット６６ｃ及びレバーベースカバー６９の凹部７１ａに形成されたスリットを介して、取り付けカバー部７１の凹部７１ａから上方へ向けて突出した状態となる（図７（ａ）参照）。
以上により、レバーベース部６０にレバーベースカバー６９が取り付けられることとなる。
【００５５】
最後に、グリップ部７２をレバーベースカバー６９に取り付ける。
具体的には、図７（ａ）に示すように、凹部７１ａから上方へ突出した把持板部６５の立設部６５ｂにグリップ部７２を差し込む。すると、グリップ部７２の側部に設けられたネジ孔７２ｆと把持板部６５の立設部６５ｂに設けられたネジ孔６５ｆとが合致するため、この合致したネジ孔７２ｆ及びネジ孔６５ｆに側方からネジＶを螺合させて、グリップ部７２及び把持板部６５をネジ止めする（図７（ａ）及び（ｃ）、図９、図１０参照）。
また、グリップ部７２の底部に設けられたネジ孔７２ｈ、取り付けカバー部７１の凹部７１ａに設けられたネジ孔７１ｈ、補強板部６６の延設部６６ｂに設けられたネジ孔６６ｈ及び外周取り付け部６４に設けられたネジ孔６４ｈが合致するため、この合致したネジ孔７２ｈ、ネジ孔７１ｈ、ネジ孔６６ｈ及びネジ孔６４ｈに下方からネジＶを螺合させて、グリップ部７２、レバーベースカバー６９、補強板部６６及びレバーベース部６０をネジ止めする（図７（ｂ）、図９、図１０参照）。
さらに、グリップ部７２の底部に設けられたネジ孔７２ｇ、補強板部６６の底板覆い部６６ａに設けられたネジ孔６６ｇ、把持板部６５の底板部６５ａに設けられたネジ孔６５ｇ及び外周取り付け部６４に設けられた挿入孔６４が合致するため、この合致したネジ孔７２ｇ、ネジ孔６６ｇ、ネジ孔６５ｇ及び挿入孔６４に下方からネジＶを螺合させて、グリップ部７２、レバーベースカバー６９、補強板部６６及び把持板部６５をネジ止めする（図７（ｂ）、図９、図１０参照）。
以上により、レバーベースカバー６９にグリップ部７２が取り付けられ、演出操作ユニット１０が組み立てられることとなる。
【００５６】
以上のように、本形態に係るパチンコ機Ｐにおいては、振動モータ６７が振動を発生させると、振動モータ６７が取り付けられたレバーベース部６０が振動する。ここで、レバーベース部６０に対する回転操作を行うにあたり遊技者に把持させるグリップ部７２（立設部６５ｂ）や、ボタンユニット４０に対する押下操作を行うにあたり遊技者に押下させる外カバー４４はいずれも、レバーベース部６０に取り付けられているため、レバーベース部６０が振動することによりグリップ部７２や外カバー４４にも振動が伝わることとなる。
したがって、本形態に係るパチンコ機Ｐによれば、レバーベース部６０に設けられた一の振動モータ６７でグリップ部７２及び外カバー４４を振動させることができるため、パチンコ機Ｐ内に設ける振動モータ６７の数を減少させることができる。これにより、パチンコ機Ｐの設計の自由度を高めかつ製造コストを抑えつつも、グリップ部７２及び外カバー４４に対して効率よく振動を伝えることができるのである。そして、レバーベース部６０に対する回転操作やボタンユニット４０に対する押下操作が行われる際に、振動を発生させることで、遊技者に対して確実に振動の発生を認識させることができ、演出効果を高めることができるのである。
また、本形態に係るパチンコ機Ｐにおいては、振動モータ６７、グリップ部７２が差し込まれる立設部６５ｂ及び外カバー４４が装着されたボタンユニット４０を覆うレバーベースカバー６９がレバーベース部６０に取り付けられている。これにより、振動モータ６７が発生する振動は、レバーベース部６０のみならずレバーベースカバー６０を介して、グリップ部７２や外カバー４４に伝わるため、より効率的に振動を伝えることができるのである。
【００５７】
また、本形態に係るパチンコ機Ｐにおいては、把持板部６５の底板部６５ａは、上方からネジＶを螺合させてレバーベース部６０にネジ止めされ、かつ、補強板部６６を覆い被せた状態で、上方からネジＶを螺合させて補強板部６６と共にレバーベース部６０にネジ止めされる。また、グリップ部７２は、レバーベースカバー６９から上方に突出した把持板部６５の立設部６５ｂに差し込まれた状態で、側方からネジＶを螺合させて立設部６５ｂにネジ止めされ、また、下方からネジＶを螺合させて、レバーベースカバー６９及び補強板部６６と共にレバーベース部６０にネジ止めされる。また、グリップ部７２の下方からネジＶを螺合させることで、レバーベースカバー６９、補強板部６６及び把持板部６５がネジ止めされる。
ここで、グリップ部７２に対して可動範囲を逸脱した前後方向や左右方向への押圧がなされたような場合には、底板部６５ａに覆い被せた補強板部６６が底板部６５ａと共にレバーベース部６０にネジ止めされていることから、この補強板部６６により、底板部６５ａがレバーベース部６０から取り外される（すなわち、グリップ部７２がレバーベース部６０から取り外される）ことを防止できるようになっている。また、グリップ部７２を上方へ引き抜くような操作がなされた場合には、立設部６５ｂとグリップ部７２とがネジ止めされていることから、これにより、グリップ部７２が立設部６５ｂから引き抜かれることを防止できるようになっている。
すなわち、本形態に係るパチンコ機Ｐによれば、レバーベース部６０に対する回転操作を行うにあたり遊技者に把持させるグリップ部７２に、可動範囲を逸脱した操作が行われた場合であっても、グリップ部７２がレバーベース部６０から取り外される等によりグリップ部７２が破損してしまうような事態を防止することができるのである。
【００５８】
なお、上述の実施の形態では、把持板部６５の立設部６５ｂにグリップ部７２が差し込まれており、遊技者はグリップ部７２を介して間接的に立設部６５ｂを把持できるようになっていたが、これに限定されるものではなく、グリップ部７２を設けず直接的に立設部６５ｂを把持できるようにしてもよい。
【００５９】
また、上述の実施の形態では、ボタンユニット４０及びグリップ部７２は演出操作ユニット１０内に設けられたレバーベース部６０に設けられていたが、これに限定されるものではなく、演出操作ユニット１０の外部の所定位置に設けられた取り付け部に設けるようにしてもよい。
【００６０】
また、上述の実施の形態では、振動モータ６７による振動が伝わるのはグリップ部７２及び外カバー４４（ボタンユニット４０）のみであったが、これに限定されるものではなく、遊技者が操作可能な他の装置に振動が伝わるようにしてもよい。また、振動モータ６７による振動が伝わるグリップ部７２及び外カバー４４はいずれも、演出の切り換え等、演出操作を行うためのものであったが、振動を伝える装置としてはこれに限定されるものではなく、遊技操作に係る装置（たとえば、遊技球を打ち出すための操作ハンドル等）であってもよい。
また、上述の実施の形態では、一の振動モータ６７が設けられていたが、複数の振動モータ６７を設けてもよい。
また、上述の実施の形態では、レバーベース部６０は、取り付け基部２０を軸心として、常態の位置から反時計回りに所定角度回転可能となっていたが、これに限定されるものではなく、常態の位置から時計回り又は反時計回りに所定角度ずつ回転可能となるように形成してもよい。
【００６１】
また、上述の実施の形態は、パチンコ機Ｐ以外の遊技機に応用することもできる。たとえば、遊技媒体として遊技メダルを用いて遊技を行わせるスロットマシンや、遊技球を用いてスロットマシンと同様の遊技を行わせるパロット（登録商標）遊技機等に適用してもよい。
【００６２】
なお、上述の実施の形態におけるパチンコ機Ｐは、本発明の遊技機に相当する。また、上述の実施の形態における演出操作ユニット１０は、本発明の操作装置に相当する。また、上述の実施の形態におけるレバーベース部６０は、本発明の基部に相当する。また、上述の実施の形態における立設部６５ｂは、本発明の把持部に相当する。また、上述の実施の形態における底板部６５ａは、本発明の固定部に相当する。また、上述の実施の形態における補強板部６６は、本発明の補強部に相当する。また、上述の実施の形態におけるグリップ部７２は、本発明の把持カバー部に相当する。
【符号の説明】
【００６３】
Ｐ  パチンコ機
Ｄ  前扉
１０  演出操作ユニット
４０  ボタンユニット
６０  レバーベース部
６５  把持板部
６５ａ  底板部
６５ｂ  立設部
６６  補強板部
６７  振動モータ
６９  レバーベースカバー
７２  グリップ部
【図１】
0006718292.tif 000002
【図２】
0006718292.tif 000003
【図３】
0006718292.tif 000004
【図４】
0006718292.tif 000005
【図５】
0006718292.tif 000006
【図６】
0006718292.tif 000007
【図７】
0006718292.tif 000008
【図８】
0006718292.tif 000009
【図９】
0006718292.tif 000010
【図１０】
0006718292.tif 000011